【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
表示手段に対するタッチ操作を検出する検出手段と、
表示画面の項目であって、当該項目の領域へのタッチ操作に応じて、画面遷移を伴うことなく、設定値を変更することが可能な第１の項目と、当該項目の領域へのタッチ操作に応じて異なる表示画面へ遷移させる第２の項目とを含む複数の項目を有する表示画面を前記表示手段に表示するように制御する表示制御手段と、
前記検出手段によって検出されたタッチ操作に応じて前記複数の項目のいずれかを選択する選択手段と、
前記選択手段により前記第１の項目が選択されている場合に、前記検出手段により前記第１の項目の領域において、タッチしていない状態からタッチされるタッチダウン操作が検出されると、該タッチダウン操作から継続するタッチ操作に応じた前記選択手段による項目の選択の変更を行わず、前記選択手段により前記第２の項目が選択されている場合に、前記検出手段により前記第２の項目の領域においてタッチダウン操作が検出されると、該タッチダウン操作から継続するタッチ操作に応じて前記選択手段による項目の選択の変更を行うように制御する制御手段と
を備えたことを特徴とする表示制御装置。
【請求項２】
前記選択手段により前記第１の項目または第２の項目が選択されている場合に、前記検出手段により前記選択された項目とは異なる項目の領域においてタッチダウン操作が検出されると、前記制御手段は、該タッチダウン操作から継続するタッチ操作に応じて前記選択手段による選択を行うよう制御することを特徴とする請求項１に記載の表示制御装置。
【請求項３】
前記選択手段により前記第２の項目が選択されている場合に、前記検出手段により前記第１の項目の領域においてタッチダウン操作が検出されると、前記制御手段は、該タッチダウン操作から継続するタッチ操作に応じた設定値の変更は行わないことを特徴とする請求項１又は２に記載の表示制御装置。
【請求項４】
前記表示制御手段は、前記選択手段により選択されている項目を他の項目とは異なる表示態様にして表示することを特徴とする請求項１〜３の何れか１項に記載の表示制御装置。
【請求項５】
前記表示制御手段は、タッチ操作が行われていない場合と、前記選択手段により選択された項目とは異なる項目の領域においてタッチダウン操作が検出されてかつ該タッチダウン操作から継続するタッチ操作が行われている場合とで、前記選択手段により選択されている項目を異なる表示形態で表示するように制御することを特徴とする請求項１〜４の何れか１項に記載の表示制御装置。
【請求項６】
前記表示制御手段は、前記選択手段により選択された項目とは異なる項目の領域においてタッチダウン操作が検出されてかつ該タッチダウン操作から継続するタッチ操作が行われている場合と、前記選択手段により選択されていた前記第１の項目の領域においてタッチダウン操作が検出されてかつ該タッチダウン操作から継続するタッチ操作が行われている場合とで、前記選択手段により選択されている項目を異なる表示形態で表示するように制御することを特徴とする請求項１〜５の何れか１項に記載の表示制御装置。
【請求項７】
前記選択手段により前記第２の項目が選択されている場合に、前記検出手段により前記第２の項目の領域においてタッチダウン操作及びタッチが離されるタッチアップ操作が検出されると、前記表示制御手段は、前記異なる表示画面へ遷移させることを特徴とする請求項１〜６の何れか１項に記載の表示制御装置。
【請求項８】
前記選択手段により前記第２の項目が選択されている場合に、前記検出手段により前記第２の項目の領域においてタッチダウン操作が検出され、該タッチダウン操作から継続するタッチ操作に応じて前記選択手段による項目の選択の変更が行われた後に、タッチアップ操作が検出された場合には、前記表示制御手段は、前記異なる表示画面への遷移を行わないことを特徴とする請求項７に記載の表示制御装置。
【請求項９】
前記選択手段により前記第１の項目が選択されている場合に、前記検出手段により前記第１の項目の領域においてタッチダウン操作が検出されると、前記制御手段は、該タッチダウン操作から継続するタッチ操作に応じて設定値を変更するように制御することを特徴とする請求項１〜８の何れか１項に記載の表示制御装置。
【請求項１０】
前記表示制御装置は、撮像手段を有する撮像装置であることを特徴とする請求項１〜９の何れか１項に記載の表示制御装置。
【請求項１１】
前記第１の項目及び前記第２の項目は、前記撮像手段での撮像に関する設定を行うための項目であることを特徴とする請求項１０に記載の表示制御装置。
【請求項１２】
前記第２の項目は、ホワイトバランスの設定を行うための項目であることを特徴とする請求項１１に記載の表示制御装置。
【請求項１３】
表示制御装置の制御方法であって、
表示手段に対するタッチ操作を検出する検出工程と、
表示画面の項目であって、当該項目の領域へのタッチ操作に応じて、画面遷移を伴うことなく、設定値を変更することが可能な第１の項目と、当該項目の領域へのタッチ操作に応じて異なる表示画面へ遷移させる第２の項目とを含む複数の項目を有する表示画面を表示手段に表示するように制御する表示制御工程と、
前記検出工程において検出されたタッチ操作に応じて複数の項目のいずれかを選択する選択工程と、
前記選択工程により前記第１の項目が選択されている場合に、前記検出工程において前記第１の項目の領域において、タッチしていない状態からタッチされるタッチダウン操作が検出されると、該タッチダウン操作から継続するタッチ操作に応じた前記選択工程による項目の選択の変更を行わず、前記選択工程により前記第２の項目が選択されている場合に、前記検出工程において前記第２の項目の領域においてタッチダウン操作が検出されると、該タッチダウン操作から継続するタッチ操作に応じて前記選択工程による項目の選択の変更を行うように制御する制御工程と
を備えたことを特徴とする表示制御装置の制御方法。
【請求項１４】
コンピュータを、請求項１〜１２の何れか１項に記載の表示制御装置の各手段として機能させるためのプログラム。
【請求項１５】
コンピュータを、請求項１〜１２の何れか１項に記載の表示制御装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
本発明の表示制御装置は、表示手段に対するタッチ操作を検出する検出手段と、表示画面の項目であって、当該項目の領域へのタッチ操作に応じて、画面遷移を伴うことなく、設定値を変更することが可能な第１の項目と、当該項目の領域へのタッチ操作に応じて異なる表示画面へ遷移させる第２の項目とを含む複数の項目を有する表示画面を前記表示手段に表示するように制御する表示制御手段と、前記検出手段によって検出されたタッチ操作に応じて前記複数の項目のいずれかを選択する選択手段と、前記選択手段により前記第１の項目が選択されている場合に、前記検出手段により前記第１の項目の領域において、タッチしていない状態からタッチされるタッチダウン操作が検出されると、該タッチダウン操作から継続するタッチ操作に応じた前記選択手段による項目の選択の変更を行わず、前記選択手段により前記第２の項目が選択されている場合に、前記検出手段により前記第２の項目の領域においてタッチダウン操作が検出されると、該タッチダウン操作から継続するタッチ操作に応じて前記選択手段による項目の選択の変更を行うように制御する制御手段とを備えたことを特徴とする。